(57)【特許請求の範囲】
【請求項１】
燃料槽から突出する、燃料流量調節のための歯付き調整部材と、該調整部材と歯付き穴に受け入れる嵌め合いの噛み合いにより回転方向に結合し外部から廻し調整できるアジャスタと、該アジャスタの廻し範囲を規定する規制手段を備えるライターにおいて、
ライターの外壁の底部に底面の下方から前記アジャスタを挿入して前記調整部材に嵌め合せまた調整部材から引き離して外部に取り出すことができる空間を設け；ライターの外壁下部の、前記空間に隣接する側面に前記アジャスタの側周面の少なくとも一部が露出する開口を設け；前記調整部材とアジャスタの一方にリング状の溝を、他方には、前記嵌め合いのために前記調整部材の軸方向上向きに前記アジャスタに強い力を加えると前記溝に嵌まりこみ、前記調整部材の軸方向下向きに前記アジャスタに強い力を加えると前記溝から外れる、わずかな突出の突起を設けた；ことを特徴とするライター。
【請求項２】
前記アジャスタは、太径の掴み頭部と、それと同心かつ一体であってそれよりも軸方向に突出する小径の、前記歯付き穴があるスリーブとを有し；前記燃料槽にはその下底面に、該スリーブの突出部分を受け入れる略丸穴の空間があり；前記開口は、前記燃料槽が入った外ケースの下底壁および側面下端の、前記掴み頭部の下端面が前記下底壁から露出し掴み頭部の側周面の少なくとも一部が露出する開口である；請求項１に記載のライター。
【請求項３】
前記規制手段は、前記燃料槽の下底面の前記略丸穴の空間に、内周壁面から軸心方向に突出するストッパであり；前記アジャスタのスリーブは、その外周面の外方に突出し軸心を中心とするスリーブの回転により前記ストッパに当たる外突起を有する；請求項２に記載のライター。
【発明の詳細な説明】
【０００１】
【発明の属する技術分野】
本発明は、燃料槽から突出する、燃料流量調節のための歯付き調整部材と、該調整部材と噛み合いにより回転方向に結合し外部から廻し調整できるアジャスタと、該アジャスタの廻し範囲を規制するストッパを備えるライターに関する。
【０００２】
【従来の技術】
喫煙用ライターならびにアウトドアライフにおいて火付けに用いるライターは通常、上記調整部材，アジャスタおよびストッパを備える。１態様では、アジャスタはリング状であり、半径方向にアームが突出しており、リング状の部分はライターケースの内部にあるが、アームはケースの開口を通って先端部分がケースの外に露出している。この態様では、開口幅にアームの回動範囲が規制されている。ユーザは、アームに爪を掛けてアジャスタを廻してライターの火力（炎長，燃焼ガス強度）を調整することができるが、調整範囲（上記開口幅）は、タバコ或いはアウトドアライフにおける火付けに最小限の火力から、着火したときに不用意に近くのものに炎或いは高熱ガスが及ばないように規制した最大値までの範囲である。
【０００３】
ライターメーカは、ライターを組み立てるときに、上記調整部材を廻して火力を所定の最大値に調整して、そして調整部材に、最大値位置となるようにアジャスタを装着してから、ライターユニットに外ケースを装着する。外ケースの開口から出たアジャスタアームは、最大位置であるので、それを調整範囲の中間位置に廻す。これでライターの組み立ては完了する。
【０００４】
【発明が解決しようとする課題】
ところで、組み立てを完了した後も火力調整範囲の再設定が必要になることがある。例えば、前回の調整範囲の設定のとき燃料が少なかった場合には、出荷直前に燃料を満タンにして着火テストすると火力が強すぎるので火力調整範囲の再設定が必要になる。ライターの温度によっても火力が変わるので、火力調整範囲の設定時と出荷時に季節的なずれを生ずる場合や、火力調整範囲の設定した場所（地方，国）と出荷先の場所とに大きな温度差がある場合には、出荷先の温度に合わせた火力調整範囲の再設定が必要になることがある。また、燃料が変わる場合も火力調整範囲の再設定が必要になるかもしれない。
【０００５】
ところが従来は、火力調整範囲を再設定するには、外ケースを取り外すとか、下蓋（ケース底蓋）を取り外す必要があり、手数がかかる。
【０００６】
本発明は、火力調整範囲の設定を簡易にできるライターを提供することを目的とする。
【０００７】
【課題を解決するための手段】
（１）燃料槽（４）から突出する、燃料流量調節のための歯付き調整部材（５ａ）と、該調整部材を歯付き穴（３ｅ）に受け入れる嵌め合いの噛み合いにより回転方向に結合し外部から廻し調整できるアジャスタ（３）と、該アジャスタの廻し範囲を規定する規制手段（４ｃ，４ｄ）を備えるライターにおいて、
ライターの外壁の底部に底面の下方から前記アジャスタを挿入して前記調整部材に嵌め合せまた調整部材から引き離して外部に取り出すことができる空間を設け；ライターの外壁下部の、前記空間に隣接する側面に前記アジャスタの側周面の少なくとも一部が露出する開口（１ｂ）を設け；前記調整部材（５ａ）とアジャスタ（３）の一方にリング状の溝（５ｃ）を、他方には、前記嵌め合いのために前記調整部材の軸方向上向きに前記アジャスタに強い力を加えると前記溝に嵌まりこみ、前記調整部材の軸方向下向きに前記アジャスタに強い力を加えると前記溝から外れる、わずかな突出の突起（３ｆ）を設けた；ことを特徴とするライター。
【０００８】
なお、理解を容易にするためにカッコ内には、図面に示し後述する実施例の対応又は相当要素又は部材の符号を、参考までに付記した。以下も同様である。
【０００９】
これによれば、外部からアジャスタ（３）に、リング状の溝（５ｃ）まで突起（３ｆ）を軸方向に動かすに必要な比較的に強い力を加えて、アジャスタ（３）を調整部材（５ａ）に嵌め合わせすることにより、リング状の溝（５ｃ）に突起（３ｆ）が嵌まりこみ、アジャスタ（３）が調整部材（５ａ）に軸方向でも係合する。調整部材（５ａ）からアジャスタ（３）を外すときには、上述とは逆に、外部に露出する、アジャスタ（３）の側周面部に、リング状の溝（５ｃ）から突起（３ｆ）を外すに必要な比較的に強い力を加えて、アジャスタ（３）を調整部材（５ａ）から外方に外す。アジャスタ（３）を合成樹脂とし、突起（３ｆ）をわずかな突出とすることにより、合成樹脂の剛性の範囲内で、上述の嵌め合わせや取り外しが可能である。本発明の後述の実施例では、アジャスタ（３）を変形が容易でしかも復元力が強いＰＰＥ（ポリプロピレン）で作り、アジャスタ（３）に突起（３ｆ）を形成した。
【００１０】
調整部材（５ａ）に対するアジャスタ（３）の着脱のために、外ケースを外すとかケース底蓋を取り外す必要は無く、火力調整範囲の設定を簡易にできる。
【００１１】
【発明の実施の形態】
（２）前記アジャスタ（３）は、太径の掴み頭部（３ａ）と、それと同心かつ一体であってそれよりも軸方向に突出する小径の、前記歯付き穴（３ｅ）があるスリーブ（３ｂ）とを有し；前記燃料槽（４）にはその下底面に、該スリーブ（３ｂ）の突出部分を受け入れる略丸穴の空間（４ｂ）があり；前記開口は、前記燃料槽（４）が入った外ケース（１）の下底壁および側面下端の、前記掴み頭部（３ａ）の下端面が前記下底壁から露出し掴み頭部（３ａ）の側周面の少なくとも一部が露出する開口１ｂである；上記（１）のライター。
【００１２】
これによれば例えば図１の（ａ）および（ｃ）に示すアジャスタ３のように、アジャスタの下面がライターの下面部に露出し（図１の（ｃ））、アジャスタの側周面の一部がライターの側面部に露出する。ユーザは露出した側面部を掴んで廻すことができる。すなわち火力を調整できる。アジャスタの、露出した側面部の上端の上に爪又はマイナスドライバの先端を差し込んで下方向に強く引き下げることにより、アジャスタが外れて落ちる。
【００１３】
（３）前記規制手段（４ｃ，４ｄ）は、前記燃料槽（４）の下底面の前記略丸穴の空間（４ｂ）に、内周壁面から軸心方向に突出するストッパ（４ｃ，４ｄ）であり；前記アジャスタ（３）のスリーブ（３ｂ）は、その外周面の外方に突出し軸心を中心とするスリーブ（３ｂ）の回転により前記ストッパ（４ｃ，４ｄ）に当たる外突起（３ｃ，３ｄ）を有する；上記（２）のライター。
【００１４】
これによれば、燃料槽（４）の下底面の丸穴の空間（４ｂ）においてアジャスタ（３）の調整範囲が規制される。調整範囲の規制を簡略な構造で実現できる。
【００１５】
本発明の他の目的および特徴は、図面を参照した以下の実施例の説明より明らかになろう。
【００１６】
【実施例】
図１の（ａ）に、本発明の１実施例のポケットガスライターを示し、図１の（ｂ）に、上蓋２を開いた使用状態を示し、図１の（ｃ）にライターの下面を示す。図１の（ａ）に示すケース１を持って親指の腹で上蓋２の右上面を押さえることにより、図１の（ｂ）に示すように、上蓋２が時計方向に回動してケース１の上端が開き、その中の火口筒内で、燃料ガスに空気が混合した混合ガスが燃焼して、高温の燃焼ガスが上方に高速で吹き出る。
【００１７】
ケース１の底面１ａには、図１の（ｃ）に示すアジャスタ３を収容する空間と、ケース１の内部の燃料槽４（図２，図３）にねじ込んだねじ１ｃがある。ケース１の下端部には、アジャスタ３を収容する空間に連なる開口１ｂがあり、この開口１ｂに、アジャスタ３の側周面の一部が露出している。この露出部を指で掴んで軸心を中心に廻すことができる。アジャスタ３は、ＰＰＥ（ポリプロピレン）で作った、たわみ性があって比較的に変形し易いが、強い曲げ力，引っ張り力，圧縮力に対して耐性が高く破損しにくいものである。なお、ＰＰＥに限らず、他の種類の合成樹脂やゴムを用いることもできる。
【００１８】
図１の（ｃ）において、アジャスタ３の中心には歯付き穴３ｅがあり、そこに燃料流量調整機構５の調整筒５ａの歯付き筒部が嵌まりこんでいる。調整筒５ａにアジャスタ３が、歯の噛み合いで軸心を中心にする回転方向には結合しているので、アジャスタ３が時計方向に廻されると、燃料槽から火口筒内に放出される燃料の流量（流出量／時間）が減って火力が弱くなり、アジャスタ３が反時計方向に廻されると、燃料槽から火口筒内に放出される燃料の流量が増えて火力が強くなる。
【００１９】
図２の（ａ）に、ケース１の下面を拡大して示し、その２Ｂ−２Ｂ線断面を図２の（ｂ）に、アジャスタ３の、ケース１の内部に挿入される側の端面を図２の（ｃ）に、該アジャスタ３の右側面を図２の（ｄ）に示す。
【００２０】
図２の（ｂ）に示すように、燃料槽４の下底４ａから、流量調整機構５の調整筒５ａが突出している。この調整筒５ａの突出下端部にはリング状の溝５ｃがあり、そして溝５ｃの上端から、全周に渡って、軸方向（縦方向）に伸びる噛み合い歯５ｂが刻まれている。ケース１の下面に空いた空間に挿入されたアジャスタ３のスリーブ３ｂの内穴３ｅの全周に渡って軸方向（縦方向）に伸びる噛み合い歯が、調整筒５ａの噛み合い歯５ｂと噛み合い、スリーブ３ｂの内穴３ｅから軸心に突出する突起３ｆが、調整筒５ａのリング状の溝５ｃに嵌まり込んでいる。なお、調整筒５ａの内部には、燃料注入弁５ｄがあり、燃料を注入するときには、燃料ボンベの注入ノズルが調整筒５ａの内部に挿入されて燃料注入弁５ｄを、燃料槽の内部に押し込むように、押し上げる。
【００２１】
図３の（ａ）に、ケース１を外して、燃料槽４の下面４ａを示す。４ｅは、図２の（ａ）に示すねじ１ｃをねじ込むねじ穴である。燃料槽４の下面４ａには、アジャスタ３のスリーブ３ｂの、半径方向に突出する外突起３ｃ，３ｄが回転できる略丸穴４ｂがあり、その軸心に向けて突出するストッパ４ｃ，４ｄがある。
【００２２】
火力の調整範囲を設定するときには、調整筒５ａからアジャスタ３を外した状態で、調整筒５ａを廻して火力を、調整範囲の最大値に調整する。これを終えると、図３を参照して説明すると、図３の（ｂ）に示すアジャスタ３を、外突起３ｃ，３ｄの各中心を結ぶ基準線（仮想線）３Ａ−３Ａを中心に１８０度回転させて、つまり、スリーブ３ｂの先端面を燃料槽４の下面４ａに向けて、該基準線３Ａ−３Ａを、図３の（ａ）に示す線（仮想線）３Ａ−３Ａに合わせ、しかも調整筒５ａをアジャスタ３の内穴３ｅに受け入れて、燃料槽４の下面４ａの丸穴４ｂに強く押し込む。このとき最初に調整筒５ａの噛み合い歯５ｂがアジャスタ３の内穴３ｅの噛み合い歯とかみ合い、そしてアジャスタ３の突起３ｆが変形しつつ調整筒５ａの下端を乗り越えて調整筒５ａのリング状の溝５ｃに嵌まり込む。
【００２３】
これによって、燃料槽４の下面４ａの丸穴４ｂに突出するストッパ４ｃ，４ｄで規制される、調整範囲の最大位置に、アジャスタ３が装着されたことになる。このとき、アジャスタ３の外突起３ｃおよび３ｄはそれぞれ、ストッパ４ｃおよび４ｄに、時計方向の廻しで下流側に略接する位置（調整範囲内の最大火力位置）にあることになる。その状態から、アジャスタ３を略４５度時計回りに廻すと、図２の（ｂ）および（ｃ）に示す、調整範囲の中間位置となる。
【００２４】
調整筒５ａからアジャスタ３を外すときには、アジャスタ３の頭部３ａの内側端面と、開口１ｂの縁又は燃料槽４の下面４ａとの間に爪又はマイナスドライバを差し込んでアジャスタ３を強く引き剥がすと、アジャスタ３の突起３ｆが変形してリング状の溝５ｃから外れ、アジャスタ３が調整筒５ａから外れる。
【００２５】
上述の、調整筒５ａに対するアジャスタ３の着，脱は、ライターの組み立てを終えてケース１が装着されている状態（図１，図２）で行うことができる。なお、ケース１を外している状態（図３）でもできるが、アジャスタ３を付けた燃料槽４はケース１に挿入できないので、アジャスタ３を付けないでライターを組み立てから、調整筒５ａを廻して火力を調整範囲の最大に調整してから、上述のように、アジャスタ３を調整範囲の最大位置に装着し、そしてアジャスタ３を略４５度時計回りに廻す。このように組み立ておよび調整範囲の設定を終えた状態を、図１および図２に示す。この状態で、調整筒５ａをライター（の調整筒５ａ）から外すことができ、そして取り付けることができる。
【図面の簡単な説明】
【図１】  （ａ）は本発明の一実施例のライターの正面図、（ｂ）は該ライターの使用状態を示す正面図、（ｃ）は該ライタの下面を示す底面図である。
【図２】  （ａ）は、図１の（ｃ）に示す底面図の拡大図、（ｂ）はその２Ｂ−２Ｂ線断面図、（ｃ）は（ｂ）に示すアジャスタ３の、スリーブ３ｂの先端面側からみた平面図、（ｄ）はその右側面図である。
【図３】  （ａ）は、図１に示すライターのケース１の内部にある燃料槽４の下面のみを示す底面図、（ｂ）は（ａ）に示す調整筒５ａに装着するアジャスタ３の、スリーブ３ｂの端面側から見た平面図である。
【符号の説明】
１：ケース            １ａ：底面
１ｂ：開口            １ｃ：ねじ
２：上蓋              ３：アジャスタ
３ａ：掴み頭部        ３ｂ：スリーブ
３ｃ，３ｄ：外突起    ３ｅ：歯付き穴
３ｆ：突起            ４：燃料槽
４ａ：下底            ４ｂ：丸穴
４ｃ，４ｄ：ストッパ  ５：燃料調整機構
５ａ：調整筒          ５ｂ：歯
５ｃ：リング状の溝    ５ｄ：燃料注入弁
【図１】
0003653250.tif 000002
【図２】
0003653250.tif 000003
【図３】
0003653250.tif 000004